(57)【要約】【課題】  待機時の消費電力を現状に比べて大幅に削減可能なＶｏＩＰ機器を提供する。【解決手段】  ＶｏＩＰ機器（ｘＤＳＬモデム内蔵ＶｏＩＰルータ１）は、アナログ回線に接続されたｘＤＳＬモデム（ｘＤＳＬモデム１２）とルータ機能（ルータ部１３及びＶｏＩＰ部１４）とを少なくとも含む。ＶｏＩＰ機器（ｘＤＳＬモデム内蔵ＶｏＩＰルータ１）は、待機時にｘＤＳＬモデム（ｘＤＳＬモデム１２）とルータ機能（ルータ部１３及びＶｏＩＰ部１４）とへの電源供給を断とし、アナログ回線の制御信号を検出する検出手段（制御信号検出部１８）と、検出手段（制御信号検出部１８）にて制御信号が検出された場合にｘＤＳＬモデム（ｘＤＳＬモデム１２）とルータ機能（ルータ部１３及びＶｏＩＰ部１４）とを起動する制御手段（制御部１７）とを有する。【選択図】      図１
2010161514.tif 000002
【特許請求の範囲】
【請求項１】
アナログ回線に接続されたｘＤＳＬ（ｘ  Ｄｉｇｉｔａｌ  Ｓｕｂｓｃｒｉｂｅｒ  Ｌｉｎｅ）モデムとルータ機能とを少なくとも含むＶｏＩＰ（Ｖｏｉｃｅ  ｏｖｅｒ  Ｉｎｔｅｒｎｅｔ  Ｐｒｏｔｏｃｏｌ）機器であって、
待機時に前記ｘＤＳＬモデムと前記ルータ機能とへの電源供給を断とし、
前記アナログ回線の制御信号を検出する検出手段と、前記検出手段にて前記制御信号が検出された場合に前記ｘＤＳＬモデムと前記ルータ機能とを起動する制御手段とを有することを特徴とするＶｏＩＰ機器。
【請求項２】
前記制御信号として、少なくとも前記アナログ回線の極性反転、着信信号、モデム信号のいずれかを利用することを特徴とする請求項１記載のＶｏＩＰ機器。
【請求項３】
前記検出手段は、前記着信信号から発信者番号を検出した場合に、その発信者番号が予め設定された発信者番号と一致した時に、前記ｘＤＳＬモデムと前記ルータ機能との起動を前記制御手段に通知することを特徴とする請求項２記載のＶｏＩＰ機器。
【請求項４】
前記検出手段は、予め設定された時間がタイムアップした時に前記ｘＤＳＬモデムと前記ルータ機能との起動を前記制御手段に通知することを特徴とする請求項１から請求項３のいずれか記載のＶｏＩＰ機器。
【請求項５】
前記検出手段は、予め指定された回数着信があることを検出した時に前記ｘＤＳＬモデムと前記ルータ機能との起動を前記制御手段に通知することを特徴とする請求項１から請求項４のいずれか記載のＶｏＩＰ機器。
【請求項６】
アナログ回線に接続されたｘＤＳＬ（ｘ  Ｄｉｇｉｔａｌ  Ｓｕｂｓｃｒｉｂｅｒ  Ｌｉｎｅ）モデムとルータ機能とを少なくとも含むＶｏＩＰ（Ｖｏｉｃｅ  ｏｖｅｒ  Ｉｎｔｅｒｎｅｔ  Ｐｒｏｔｏｃｏｌ）機器に用いるウェイクアップ方法であって、
前記ＶｏＩＰ機器の待機時に前記ｘＤＳＬモデムと前記ルータ機能とへの電源供給を断とし、
前記アナログ回線の制御信号を検出する検出処理と、前記検出処理にて前記制御信号が検出された場合に前記ｘＤＳＬモデムと前記ルータ機能とを起動する制御処理とを有することを特徴とするウェイクアップ方法。
【請求項７】
前記制御信号として、少なくとも前記アナログ回線の極性反転、着信信号、モデム信号のいずれかを利用することを特徴とする請求項６記載のウェイクアップ方法。
【請求項８】
前記検出処理において、前記着信信号から発信者番号を検出した場合に、その発信者番号が予め設定された発信者番号と一致した時に、前記ｘＤＳＬモデムと前記ルータ機能との起動を通知することを特徴とする請求項７記載のウェイクアップ方法。
【請求項９】
前記検出処理において、予め設定された時間がタイムアップした時に前記ｘＤＳＬモデムと前記ルータ機能との起動を通知することを特徴とする請求項６から請求項８のいずれか記載のウェイクアップ方法。
【請求項１０】
前記検出処理において、予め指定された回数着信があることを検出した時に前記ｘＤＳＬモデムと前記ルータ機能との起動を通知することを特徴とする請求項６から請求項９のいずれか記載のウェイクアップ方法。
【請求項１１】
アナログ回線に接続されたｘＤＳＬ（ｘ  Ｄｉｇｉｔａｌ  Ｓｕｂｓｃｒｉｂｅｒ  Ｌｉｎｅ）モデムとルータ機能とを少なくとも含むＶｏＩＰ（Ｖｏｉｃｅ  ｏｖｅｒ  Ｉｎｔｅｒｎｅｔ  Ｐｒｏｔｏｃｏｌ）機器内の中央処理装置に実行させるプログラムであって、
前記ＶｏＩＰ機器の待機時に前記ｘＤＳＬモデムと前記ルータ機能とへの電源供給を断とさせ、
前記アナログ回線の制御信号を検出する検出処理と、前記検出処理にて前記制御信号が検出された場合に前記ｘＤＳＬモデムと前記ルータ機能とを起動する制御処理とを含むことを特徴とするプログラム。
【発明の詳細な説明】
【技術分野】
【０００１】
本発明はＶｏＩＰ機器及びそれに用いるウェイクアップ方法並びにそのプログラムに関し、特にアナログ回線に接続されたｘＤＳＬ（ｘ  Ｄｉｇｉｔａｌ  Ｓｕｂｓｃｒｉｂｅｒ  Ｌｉｎｅ）モデム内蔵のＶｏＩＰ（Ｖｏｉｃｅ  ｏｖｅｒ  Ｉｎｔｅｒｎｅｔ  Ｐｒｏｔｏｃｏｌ）ルータ等のＶｏＩＰ機器に関する。
【背景技術】
【０００２】
この種のＶｏＩＰ機器においては、いつ来るか分からないＩＰ（Ｉｎｔｅｒｎｅｔ  Ｐｒｏｔｏｃｏｌ）電話の着信を受けるために、常にｘＤＳＬモデム部やルータ部の電源をＯＮにしておく必要がある。
【０００３】
アナログ回線に接続されたｘＤＳＬモデム内蔵のＶｏＩＰルータ等のＶｏＩＰ機器としては、下記の特許文献１に開示されているように、宅内の通信機器を、回線交換網を利用した固定電話機やインタネット等のパケット通信網に接続する機器がある。
【先行技術文献】
【特許文献】
【０００４】
【特許文献１】特開２００５−０３１８９９号公報
【発明の概要】
【発明が解決しようとする課題】
【０００５】
上述した本発明に関連するＶｏＩＰ機器では、いつ来るか分からないＩＰ電話の着信を受けるために、常にｘＤＳＬモデム部やルータ部の電源をＯＮにしておく必要があるため、アナログ単体電話機等のナローバンド機器に比べてｘＤＳＬモデム部やルータ部の消費電力が大きいため、待機時の消費電力が大きくなるという問題がある。
【０００６】
そこで、本発明の目的は上記の問題点を解消し、待機時の消費電力を現状に比べて大幅に削減することができるＶｏＩＰ機器及びそれに用いるウェイクアップ方法並びにそのプログラムを提供することにある。
【課題を解決するための手段】
【０００７】
本発明によるＶｏＩＰ機器は、アナログ回線に接続されたｘＤＳＬ（ｘ  Ｄｉｇｉｔａｌ  Ｓｕｂｓｃｒｉｂｅｒ  Ｌｉｎｅ）モデムとルータ機能とを少なくとも含むＶｏＩＰ（Ｖｏｉｃｅ  ｏｖｅｒ  Ｉｎｔｅｒｎｅｔ  Ｐｒｏｔｏｃｏｌ）機器であって、
待機時に前記ｘＤＳＬモデムと前記ルータ機能とへの電源供給を断とし、
前記アナログ回線の制御信号を検出する検出手段と、前記検出手段にて前記制御信号が検出された場合に前記ｘＤＳＬモデムと前記ルータ機能とを起動する制御手段とを備えている。
【０００８】
本発明によるウェイクアップ方法は、アナログ回線に接続されたｘＤＳＬ（ｘ  Ｄｉｇｉｔａｌ  Ｓｕｂｓｃｒｉｂｅｒ  Ｌｉｎｅ）モデムとルータ機能とを少なくとも含むＶｏＩＰ（Ｖｏｉｃｅ  ｏｖｅｒ  Ｉｎｔｅｒｎｅｔ  Ｐｒｏｔｏｃｏｌ）機器に用いるウェイクアップ方法であって、
前記ＶｏＩＰ機器の待機時に前記ｘＤＳＬモデムと前記ルータ機能とへの電源供給を断とし、
前記アナログ回線の制御信号を検出する検出処理と、前記検出処理にて前記制御信号が検出された場合に前記ｘＤＳＬモデムと前記ルータ機能とを起動する制御処理とを備えている。
【０００９】
本発明によるプログラムは、アナログ回線に接続されたｘＤＳＬ（ｘ  Ｄｉｇｉｔａｌ  Ｓｕｂｓｃｒｉｂｅｒ  Ｌｉｎｅ）モデムとルータ機能とを少なくとも含むＶｏＩＰ（Ｖｏｉｃｅ  ｏｖｅｒ  Ｉｎｔｅｒｎｅｔ  Ｐｒｏｔｏｃｏｌ）機器内の中央処理装置に実行させるプログラムであって、
前記ＶｏＩＰ機器の待機時に前記ｘＤＳＬモデムと前記ルータ機能とへの電源供給を断とさせ、
前記アナログ回線の制御信号を検出する検出処理と、前記検出処理にて前記制御信号が検出された場合に前記ｘＤＳＬモデムと前記ルータ機能とを起動する制御処理とを含むことを特徴とする。
【発明の効果】
【００１０】
本発明は、上記のような構成及び動作とすることで、待機時の消費電力を現状に比べて大幅に削減することができるという効果が得られる。
【図面の簡単な説明】
【００１１】
【図１】本発明の第１の実施の形態によるｘＤＳＬモデム内蔵ＶｏＩＰルータの構成例を示すブロック図である。
【図２】図１の制御信号検出部の構成例を示すブロック図である。
【図３】本発明の第１の実施の形態によるｘＤＳＬモデム内蔵ＶｏＩＰルータの動作例を示すシーケンスチャートである。
【発明を実施するための形態】
【００１２】
次に、本発明の実施の形態について図面を参照して説明する。まず、本発明によるｘＤＳＬ（ｘ  Ｄｉｇｉｔａｌ  Ｓｕｂｓｃｒｉｂｅｒ  Ｌｉｎｅ）モデム内蔵ＶｏＩＰ（Ｖｏｉｃｅ  ｏｖｅｒ  Ｉｎｔｅｒｎｅｔ  Ｐｒｏｔｏｃｏｌ）機器（以下、ＶｏＩＰ機器とする）の概要について説明する。
【００１３】
本発明によるＶｏＩＰ機器は、アナログ回線に接続されたｘＤＳＬモデム内蔵のＶｏＩＰルータ等の機器であり、アナログ回線の制御信号を利用して自機器をウェイクアップさせることにより、待機時の不要な消費電力を削減することを特徴としている。
【００１４】
つまり、本発明によるＶｏＩＰ機器では、ＩＰ電話サービスからの着信時に、アナログ回線の制御信号によってｘＤＳＬモデム部やルータ部の電源をウェイクアップしている。
【００１５】
図１は本発明の第１の実施の形態によるｘＤＳＬモデム内蔵ＶｏＩＰルータ（以下、ＶｏＩＰルータとする）の構成例を示すブロック図である。図１において、本発明の第１の実施の形態によるＶｏＩＰルータ１は、キャリアとのインタフェース（キャリアＩ／Ｆ１００）に接続され、スプリッタ１１と、ｘＤＳＬモデム部１２と、ルータ部１３と、ＶｏＩＰ部１４と、電話機制御部１５と、スイッチ１６と、制御部１７と、制御信号検出部１８とを備えている。
【００１６】
キャリアＩ／Ｆ１００は、通常、ＲＪ−１１コネクタ（６ピンのモジュラ式コネクタで、電話回線に用いられる）を介し、２ワイヤのツイストペアケーブルにて接続される。このケーブルを通る信号としては、電話機２にて使用する音声帯域信号と、ＰＣ（Ｐｅｒｓｏｎａｌ  Ｃｏｍｐｕｔｅｒ）３やＩＰ電話等のデータ通信にて使用するｘＤＳＬ信号とが重畳されている。
【００１７】
スプリッタ１１は、キャリアＩ／Ｆ１００を通る音声帯域信号とｘＤＳＬ信号とを分離する。この場合、スプリッタ１１は、周波数の低い音声帯域信号と周波数の高いｘＤＳＬ信号とを分離する。
【００１８】
ｘＤＳＬモデム部１２は、ｘＤＳＬ信号の物理層やフレームフォーマット変換等を担当する。ルータ部１３は、ＩＰパケットのルーティングの他、プロバイダ認証用のＰＰＰｏＥ［Ｐｏｉｎｔ  ｔｏ  Ｐｏｉｎｔ  Ｐｒｏｔｏｃｏｌ  ｏｖｅｒ  Ｅｔｈｅｒｎｅｔ（登録商標）］機能やＩＰアドレス，ポート番号変換のＮＡＰＴ（Ｎｅｔｗｏｒｋ  Ａｄｄｒｅｓｓ  Ｐｏｒｔ  Ｔｒａｎｓｌａｔｉｏｎ）機能等を有する。
【００１９】
ＶｏＩＰ部１４は、ＩＰ電話サービスのキャリア側ＳＩＰ（Ｓｅｓｓｉｏｎ  Ｉｎｉｔｉａｔｉｏｎ  Ｐｒｏｔｏｃｏｌ）サーバ（図示せず）と呼制御メッセージのやり取りを行う呼制御部、電話機の音声とＲＴＰ（Ｒｅａｌ  Ｔｉｍｅ  ｔｒａｎｓｐｏｒｔ  Ｐｒｏｔｏｃｏｌ）パケットとを相互変換するコーデック部等を有する。
【００２０】
電話機制御部１５は、ＩＰ電話サービス利用時に電話機２を収容する。電話機制御部１５は、電話機２への給電、電話機２のオフフック／オンフック等のフックスイッチ検出、電話機２へのダイヤルトーン送出、電話機２が送出するダイヤル（選択信号）検出等の機能を有する。
【００２１】
スイッチ１６は、制御部１７の指示によって、電話機２が直接アナログ回線を使用する場合にａ側に接続し、電話機２がＩＰ電話サービスを使用する場合にｂ側に接続する。
【００２２】
制御部１７は、ＶｏＩＰルータ１全体を制御、管理している。制御部１７は、図示していないが、主にＣＰＵ（中央処理装置）と、プログラムを格納するプログラムメモリと、ＣＰＵのプログラム実行時に作業領域として用いられるワークメモリとから構成される。
【００２３】
電話機２は、アナログの２ワイヤインタフェースを有し、オンフック／オフフックやダイヤル（選択信号）の送出、また、ハンドセットにより音声の送受話が可能である。
【００２４】
ＰＣ３は、ルータ部１３→ｘＤＳＬモデム部１２→スプリッタ１１→キャリアＩ／Ｆ１００経由でインタネットに接続することが可能であり、Ｗｅｂブラウジングや電子メールサービス等のアプリケーションを利用することができる。
【００２５】
制御信号検出部１８は、本発明特有の省電力機能を実現するために特別に設けられた機能ブロックであり、ウェイクアップを実現するためのトリガを検出する。ウェイクアップを実現するためのトリガとしては、アナログ回線の極性反転、もしくは着信信号、あるいはモデム信号等を使用する。
【００２６】
ＶｏＩＰルータ１は、待機時、ｘＤＳＬモデム部１２、ルータ部１３、ＶｏＩＰ部１４、電話機制御部１５に対する電源供給がＯＦＦの状態であり、スイッチ１６はａ側に接続されている。本実施の形態では、ｘＤＳＬモデム部１２、ルータ部１３、ＶｏＩＰ部１４といった高消費電力の機能ブロックの電源をＯＦＦにしているため、待機時の消費電力を大幅に削減することができる。
【００２７】
ＩＰ電話サービスから着信が来ると、網のアナログ交換機（図示せず）は、トリガとしての制御信号をＶｏＩＰルータ１に対して送信する。トリガは、アナログ回線の極性反転、もしくは着信信号、あるいはモデム信号等の現行のサービスとして使っていない信号パターンであればいかなるものであってもよい。
【００２８】
制御部１７は、そのトリガを制御信号検出部１８にて検出した後、ｘＤＳＬモデム部１２、ルータ部１３、ＶｏＩＰ部１４、電話機制御部１５を起動させる。また、制御部１７は、スイッチ１６をｂ側に切り替える。これによって、本実施の形態では、ＩＰ電話サービスからの着信をＶｏＩＰ部１４にて受け、電話機２を着信鳴動させることが可能となる。
【００２９】
このようにして、本実施の形態では、ＶｏＩＰ機器（ＶｏＩＰルータ１）のｘＤＳＬモデム部１２やルータ部１３の電源をＯＦＦにすることが可能となるため、ＶｏＩＰ機器の待機時の消費電力を現行機機に比べて大幅に削減することが可能となる。
【００３０】
図２は図１の制御信号検出部１８の構成例を示すブロック図である。図２において、制御信号検出部１８は、呼出信号検出部１８１と、第１モデム部１８２と、発信者番号記憶部１８３と、制御信号検出制御部１８４と、タイマ／回数計数部１８５とを備えている。
【００３１】
呼出信号検出部１８１は、ベル信号を検出する。第１モデム部１８２は、発信者番号を検出する。発信者番号記憶部１８３は、事前に設定された発信者番号（検出時に電源をＯＮする発信者番号）を記憶している。制御信号検出制御部１８４は、制御信号検出部１８全体の制御を行う。タイマ／回数計数部１８５は、着信するタイマと呼出回数とを計数する。
【００３２】
制御信号検出部１８においては、呼出信号検出部１８１にてベル信号が検出されると、第１モデム部１８２にて着信信号から発信者番号を検出する。制御信号検出制御部１８４は、第１モデム部１８２にて検出した発信者番号と発信者番号記憶部１８３に記憶された発信者番号とを比較し、それらが一致すると、ｘＤＳＬモデム部１２、ルータ部１３、ＶｏＩＰ部１４、電話機制御部１５の起動を制御部１７に通知する。
【００３３】
また、制御信号検出制御部１８４は、着信するタイマをタイマ／回数計数部１８５にて計数し、予め設定された時間がタイムアップすると、ｘＤＳＬモデム部１２、ルータ部１３、ＶｏＩＰ部１４、電話機制御部１５の起動を制御部１７に通知する。
【００３４】
さらに、制御信号検出制御部１８４は、着信する呼出回数をタイマ／回数計数部１８５にて計数し、予め指定された回数着信があることを検出すると、ｘＤＳＬモデム部１２、ルータ部１３、ＶｏＩＰ部１４、電話機制御部１５の起動を制御部１７に通知する。尚、制御信号検出制御部１８４は、電源ＯＮにてメッセージを送出するようにしてもよい。
【００３５】
図３は本発明の第１の実施の形態によるＶｏＩＰルータ１の動作例を示すシーケンスチャートである。これら図１〜図３を参照して本発明の第１の実施の形態によるＶｏＩＰルータ１の動作について説明する。尚、図３に示すＶｏＩＰルータ１の処理動作は、制御部１７のＣＰＵがプログラムを実行することで実現される。
【００３６】
図３において、ＶｏＩＰルータ１は、待機時、ｘＤＳＬモデム部１２、ルータ部１３、ＶｏＩＰ部１４の電源をＯＦＦとしている（図３のａ０）。
【００３７】
網ＳＩＰサーバ５に着信が入ると（図３のａ１）、網ＳＩＰサーバ５は網アナログ交換機４に着信を通知する（図３のａ２）。網アナログ交換機４は、アナログ回線の制御信号の機能を使用して、ＶｏＩＰルータ１にｘＤＳＬモデム部１２、ルータ部１３、ＶｏＩＰ部１４の起動を要求する（図３のａ３）。
【００３８】
尚、この場合に使用する制御信号としては、現行のアナログ網サービスで使用されていないパターンであれば、極性反転でも、着信信号でも、一次応答後のモデム信号でも、いかなるものであっても構わない。
【００３９】
ＶｏＩＰルータ１は、網アナログ交換機４からの制御信号による起動要求を受けると、ｘＤＳＬモデム部１２、ルータ部１３、ＶｏＩＰ部１４等を起動し（図３のａ４）、プロバイダ認証、グローバルＩＰアドレスの払い出し等を受けた後、網ＳＩＰサーバ５と起動シーケンスに入り、最終的に網ＳＩＰサーバ５に登録（Ｒｅｇｉｓｔｅｒ）される（図３のａ５）。
【００４０】
網ＳＩＰサーバ５で登録が完了すると、網ＳＩＰサーバ５からＶｏＩＰルータ１に対してＩＰ電話の着信が入る（図３のａ６）。ＶｏＩＰルータ１は、その電話機制御部１５を使って、配下の電話機２に着信鳴動をかける（図３のａ７）。
【００４１】
ユーザが電話機２をオフフックすると（図３のａ８）、ＶｏＩＰルータ１は電話機２からの応答を検出し（図３のａ９）、網ＳＩＰサーバ５へ応答メッセージを送信し（図３のａ１０）、電話機２と網ＳＩＰサーバ５とを通話状態とする（図３のａ１１）。
【００４２】
このように、本実施の形態では、ＩＰ電話サービスからの着信を受けるために、常にｘＤＳＬモデム部１２、ルータ部１３、ＶｏＩＰ部１４等の電源をＯＮにしておく必要がないので、待機時の消費電力を現状に比べて大幅に削減することができる。
【符号の説明】
【００４３】
１  ｘＤＳＬモデム内蔵ＶｏＩＰルータ
２  電話機
３  ＰＣ
４  網アナログ交換機
５  網ＳＩＰサーバ
１１  スプリッタ
１２  ｘＤＳＬモデム部
１３  ルータ部
１４  ＶｏＩＰ部
１５  電話機制御部
１６  スイッチ
１７  制御部
１８  制御信号検出部
１００  キャリアＩ／Ｆ
１８１  呼出信号検出部
１８２  第１モデム部
１８３  発信者番号記憶部
１８４  制御信号検出制御部
１８５  タイマ／回数計数部
【図１】
2010161514.tif 000003
【図２】
2010161514.tif 000004
【図３】
2010161514.tif 000005